(57)【特許請求の範囲】
【請求項１】
自動車の車体の内部側に配置された内側金属板と、該内側金属板の外面に設けられた樹脂材と、該樹脂材の外面に設けられた外側金属板とを備え、かつ、前記内側金属板および前記外側金属板に造形部を備えるラミネート金属板からなる自動車外板パネルであって、
前記内側金属板は、前記造形部以外の部位に、前記自動車の車体の内部側へ向けて凸となるように設けられた一又は複数のエンボスと、前記造形部に穿設された一又は複数の穴とを備え、
前記穴の面積に対する前記エンボスの前記内部側の底面の面積の比率が１．２５を超える、自動車外板パネル。
【請求項２】
自動車の車体の内部側に配置された内側金属板と、該内側金属板の外面に設けられた樹脂材と、該樹脂材の外面に設けられた外側金属板とを備え、かつ、前記内側金属板および前記外側金属板に造形部を備えるラミネート金属板からなる自動車外板パネルであって、
前記内側金属板は、前記造形部以外の部位に、前記自動車の車体の内部側へ向けて凸となるように設けられた一又は複数のエンボスと、前記造形部に穿設された一又は複数の穴とを備え、
前記穴の面積に対する前記エンボスの前記内部側の底面の面積の比率が１．２５以下であり、かつ、前記エンボスの前記内部側の底面の形状において、最も長い径の長さが４〜１８ｍｍである、自動車外板パネル。
【請求項３】
前記エンボスの形状は、円柱、楕円柱、角柱、円錐台、楕円錐台または角錐台である、請求項１または２に記載の自動車外板パネル。
【請求項４】
前記エンボスは、内部に前記樹脂材が存在する、請求項１〜３のいずれか一つに記載の自動車外板パネル。
【請求項５】
ドアアウターパネル、フードアウターパネル、トランクリッドアウターパネル、フェンダーパネル、バックドアアウターパネル、ルーフパネルまたはボディサイドパネルである、請求項１〜４のいずれか一つに記載の自動車外板パネル。
【発明の詳細な説明】
【技術分野】
【０００１】
本発明は、自動車外板パネルに関する。
【背景技術】
【０００２】
一般的に、ドアアウターパネル、フードアウターパネル、トランクリッドアウターパネル、フェンダーパネル、バックドアアウターパネル、ルーフパネル、ボディサイドパネル等の自動車外板パネルは、自動車の重心位置よりも高い位置に配置される。このため、自動車外板パネルを高強度化し、かつ、軽量化することができれば、車体軽量化に伴う燃費向上および衝突安全性の向上を図れるだけでなく、自動車の低重心化による走行性能の向上を図ることができる。
【０００３】
また、自動車外板パネルには、張り剛性（外部の力に対してべこつきにくいという特性）が要求される。自動車外板パネルの張り剛性は、自動車外板パネルを構成する金属板の板厚およびヤング率によって決まる。そのため、従来、金属板の引張強度を高めることにより金属板の板厚を薄くすると、自動車外板パネルの張り剛性が低下するという問題があった。すなわち、自動車外板パネルの張り剛性を向上させるためには、金属板の板厚を厚くする必要があり、その結果、自動車外板パネルの軽量化を図ることが難しかった。
【０００４】
近年、自動車外板パネルの張り剛性を向上させ、かつ、自動車外板パネルを軽量化する技術が開発されている。例えば、特許文献１に開示された自動車外板パネルは、発泡樹脂を芯材として、該発泡樹脂を２枚の金属板間に挟んで積層させた複合板を自動車外板パネルとして用いることにより、自動車外板パネルを軽量化し、かつ、自動車外板パネルの張り剛性を向上させている。
【先行技術文献】
【特許文献】
【０００５】
【特許文献１】国際公開第２００９／１０４６４６号
【発明の概要】
【発明が解決しようとする課題】
【０００６】
しかしながら、最近、より一層自動車本体を軽量化することが求められている。そこで、自動車外板パネルを軽量化しつつ、さらに、張り剛性を向上させることが可能な自動車外板パネルの開発が求められている。
【０００７】
本発明は、このような現状に鑑み、従来の自動車外板パネルよりも軽量化し、かつ、張り剛性を向上させた自動車外板パネルを提供することを目的とする。
【課題を解決するための手段】
【０００８】
本発明者らは、前記課題を解決するために鋭意検討を重ねた結果、樹脂材を２枚の金属板間に挟んで積層させた複合板からなる自動車外板パネルにおいて、前記２枚の金属板のうち、車体内部側に配置される金属板（以下、「内側金属板」という）に、車体の内部側へ向けて凸となるようにエンボスを設けることにより、自動車外板パネルの張り剛性をさらに向上させることができることを見出した。
【０００９】
また、前記内側金属板に形成される造形部（例えば、キャラクターライン、ドアハンドルエンボス、ドアガードモールエンボス等）の張り剛性は、前記造形部以外の部位の張り剛性よりも高い。そのため、本発明者らは、前記造形部には穴を穿設することにより、自動車外板パネルの張り剛性を向上させ、さらに、自動車外板パネルをより軽量化することができることを見出した。
【００１０】
本発明は、前記の知見に基づいてなされたものであり、その要旨は、下記に示す自動車外板パネルにある。
【００１１】
（１）自動車の車体の内部側に配置された内側金属板と、該内側金属板の外面に設けられた樹脂材と、該樹脂材の外面に設けられた外側金属板とを備え、かつ、前記内側金属板および前記外側金属板に造形部を備えるラミネート金属板からなる自動車外板パネルであって、
前記内側金属板は、前記造形部以外の部位に、前記自動車の車体の内部側へ向けて凸となるように設けられた一又は複数のエンボスと、前記造形部に穿設された一又は複数の穴とを備え、
前記穴の面積に対する前記エンボスの前記内部側の底面の面積の比率が１．２５を超える、自動車外板パネル。
【００１２】
（２）自動車の車体の内部側に配置された内側金属板と、該内側金属板の外面に設けられた樹脂材と、該樹脂材の外面に設けられた外側金属板とを備え、かつ、前記内側金属板および前記外側金属板に造形部を備えるラミネート金属板からなる自動車外板パネルであって、
前記内側金属板は、前記造形部以外の部位に、前記自動車の車体の内部側へ向けて凸となるように設けられた一又は複数のエンボスと、前記造形部に穿設された一又は複数の穴とを備え、
前記穴の面積に対する前記エンボスの前記内部側の底面の面積の比率が１．２５以下であり、かつ、前記エンボスの前記内部側の底面の形状において、最も長い径の長さが４〜１８ｍｍである、自動車外板パネル。
【００１３】
（３）前記エンボスの形状は、円柱、楕円柱、角柱、円錐台、楕円錐台または角錐台である、前記（１）または（２）に記載の自動車外板パネル。
【００１４】
（４）前記エンボスは、内部に前記樹脂材が存在する、前記（１）〜（３）のいずれか一つに記載の自動車外板パネル。
【００１５】
（５）ドアアウターパネル、フードアウターパネル、トランクリッドアウターパネル、フェンダーパネル、バックドアアウターパネル、ルーフパネルまたはボディサイドパネルである、前記（１）〜（４）のいずれか一つに記載の自動車外板パネル。
【発明の効果】
【００１６】
本発明によれば、従来の自動車外板パネルよりも軽量化し、かつ、張り剛性を向上させた自動車外板パネルを提供することができる。
【図面の簡単な説明】
【００１７】
【図１】図１は、本発明の実施形態に係る自動車外板パネル１を模式的に示す斜視図である。
【図２】図２は、図１に示す自動車外板パネル１において、エンボス６が設けられた部分の厚さ方向を模式的に示す断面図である。
【図３】図３は、本実施形態に係る自動車外板パネル１をドアアウターパネルとして用いたドア９の一例を示す概略図である。
【図４】図４は、実施例１および２の解析モデルの正面図である。
【図５】図５は、実施例３および５の解析モデルの正面図である。
【図６】図６は、実施例４および６の解析モデルの正面図である。
【図７】図７は、比較例１の解析モデルの正面図である。
【図８】図８は、比較例２および３の解析モデルの正面図である。
【図９】図９は、実施例１〜６および比較例１〜３の解析モデルにおける、単位重量当たりの張り剛性比率を表わすグラフである。
【発明を実施するための形態】
【００１８】
以下、本発明の実施形態について、図面を参照しながら説明する。なお、各図中の構成部材の寸法は、実際の構成部材の寸法および各構成部材の寸法比率等を忠実に表したものではない。
【００１９】
１．自動車外板パネルの構成
まず、本発明の実施形態（以下、本実施形態ともいう）に係る自動車外板パネルの構成を説明する。
【００２０】
（全体構成）
図１は、本発明の実施形態に係る自動車外板パネル１を模式的に示す斜視図である。図１に示すように、自動車外板パネル１は、自動車の車体の内部側（すなわち、図１における紙面手前側）に配置され、かつ、造形部２が形成された内側金属板３と、該内側金属板３の外面（すなわち、図１における紙面奥側の面）に設けられた樹脂材４と、該樹脂材４の外面（すなわち、図１における紙面奥側の面）に設けられた外側金属板５とを備えるラミネート金属板である。
【００２１】
内側金属板３および外側金属板５は、鋼板、アルミ板、マグネシウム板、または、チタン板であることが好ましい。これらの中でも、コストの観点から、鋼板であることがより好ましい。内側金属板３および外側金属板５が鋼板である場合、ヤング率は、２００ＧＰａ以上であることが好ましい。
【００２２】
内側金属板３および外側金属板５の板厚は、重量と剛性とのバランスの観点から、０．１〜０．５ｍｍであることが好ましく、０．２〜０．３ｍｍであることがより好ましい。
【００２３】
樹脂材４は、ナイロン、または、ポリプロピレンであることが好ましい。これらの中でも、コストの観点から、ナイロンであることがより好ましい。
【００２４】
樹脂材４の厚さは、重量と剛性とのバランスの観点から、０．３〜１．５ｍｍであることが好ましく、０．５〜０．７ｍｍであることがより好ましい。
【００２５】
内側金属板３において、造形部２以外の部位には、自動車の車体の内部側（すなわち、図１における紙面手前側）へ向けて凸となるように、複数のエンボス６が設けられている。また、造形部２には、複数の穴７が穿設されている。
【００２６】
なお、造形部２とは、エンボス形状または曲げ稜線部の加工により剛性が高くなっている部分をいい、例えば、キャラクターライン、ドアハンドルエンボス、ドアガードモールエンボス等のことである。図１では、造形部２として、キャラクターライン２１およびドアハンドルエンボス２２が示されている。複数の穴７は、これら造形部２のうち、キャラクターライン２１に穿設されている。なお、本実施形態に係る自動車外板パネル１では、複数の穴７が、ドアハンドルエンボス２２に穿設されていてもよい。
【００２７】
（エンボス）
上述のように、内側金属板３において、造形部２以外の部位には、自動車の車体の内部側（すなわち、図１における紙面手前側）へ向けて凸となるように、複数のエンボス６が設けられている。
【００２８】
エンボス６の形状は、円柱である。前記円柱は、前記内部側の底面の円の直径が４〜１８ｍｍであることが好ましい。前記直径が４ｍｍ未満であると、張り出し加工が困難となる場合がある。前記直径が１８ｍｍを超えると、剛性向上効果が著しく低下する場合がある。
【００２９】
なお、本実施形態に係る自動車外板パネル１において、エンボス６の形状は、円柱に限定されない。エンボス６の形状は、例えば、楕円柱、角柱、円錐台、楕円錐台または角錐台であってもよい。エンボス６の形状が楕円柱、角柱、円錐台、楕円錐台または角錐台である場合、該エンボス６の前記内部側の底面の形状は、最も長い径の長さが４〜１８ｍｍであることが好ましい。
【００３０】
本実施形態に係る自動車外板パネル１は、内側金属板３において、造形部２以外の部位にエンボス６が設けられていることにより、内側金属板３の面剛性が向上し、面外変形抵抗が大きくなる。その結果、自動車外板パネル１は、張り剛性が向上する。
【００３１】
図２は、図１に示す自動車外板パネル１において、エンボス６が設けられた部分の厚さ方向を模式的に示す断面図である。エンボス６は、内部に樹脂材４が存在する。エンボス６の内部に樹脂材が存在すると、内側金属板３の面外変形抵抗がさらに増大する。その結果、自動車外板パネル１の張り剛性がより向上する。
【００３２】
なお、本実施形態に係る自動車外板パネル１において、エンボス６は、内部に樹脂材４が存在する構成に限定されない。例えば、エンボス６は、内部が空洞であってもよい。
【００３３】
（穴）
上述のように、内側金属板３において、造形部２には、複数の穴７が穿設されている。なお、複数の穴７は、一つの穴７の一部分が造形部２に穿設されていればよい。よって、該一つの穴７の他の部分が、造形部２以外の部位に穿設されていてもよい。
【００３４】
穴７の形状は、円である。前記円の直径は、１０〜５０ｍｍであることが好ましい。前記円の直径が１０ｍｍ未満であると、自動車外板パネル１を充分に軽量化できない場合がある。前記円の直径が５０ｍｍを超えると、自動車外板パネル１自体の剛性が大きく低下する場合がある。
【００３５】
なお、本実施形態に係る自動車外板パネル１において、穴７の形状は、円に限定されない。穴７の形状は、例えば、楕円または多角形であってもよい。
【００３６】
本実施形態に係る自動車外板パネル１は、内側金属板３において、造形部２に穴７が穿設されていることにより、軽量化することができる。造形部２は、エンボス形状または曲げ稜線部の加工により剛性が高くなっている部分であるため、穴を穿設したとしても、張り剛性は劣らない。
【００３７】
本実施形態に係る自動車外板パネル１において、穴７の面積に対するエンボス６の前記内部側の底面の面積の比率は１．２５を超える。前記比率が１．２５を超えると、エンボス６を設けることの効果が充分に発揮されるため、自動車外板パネル１の張り剛性を向上させることができる。さらに、自動車外板パネル１には穴７が穿設されているため、自動車外板パネル１を軽量化することができる。
【００３８】
なお、本実施形態に係る自動車外板パネル１において、穴７の面積に対するエンボス６の前記内部側の底面の面積の比率は、１．２５以下であってもよい。しかしながら、前記比率が１．２５以下であると、エンボス６を設けることの効果が充分に発揮されない。したがって、前記比率が１．２５以下の場合、エンボス６を設けることの効果を充分に発揮させるため、エンボス６の前記内部側の底面の形状において、最も長い径の長さを４〜１８ｍｍとする必要がある。前記径の長さが４ｍｍ未満であると、張り出し加工が困難になる場合がある。前記径の長さが１８ｍｍを超えると、剛性が著しく低下する場合がある。
【００３９】
２．自動車外板パネルの用途
次に、本実施形態に係る自動車外板パネル１の用途の一例について説明する。図３は、本実施形態に係る自動車外板パネル１をドアアウターパネルとして用いたドア９の一例を示す概略図である。本実施形態に係る自動車外板パネル１は、ドアインナーパネル８と組み合わせることによって、ドア９として用いることができる。
【００４０】
本実施形態に係る自動車外板パネル１は、ドアアウターパネル以外にも、フードアウターパネル、トランクリッドアウターパネル、フェンダーパネル、バックドアアウターパネル、ルーフパネルまたはボディサイドパネルとして用いることができる。
【００４１】
３．自動車外板パネルの製造方法
続いて、本実施形態に係る自動車外板パネル１の製造方法について説明する。本実施形態に係る自動車外板パネル１の製造方法は特に限定されないが、例えば、下記の方法により製造することができる。
【００４２】
まず、内側金属板３において、造形部２を形成しようとする部位以外の部位に複数のエンボス６を形成し、かつ、造形部２を形成しようとする部位に複数の穴７を穿設する。複数のエンボス６および複数の穴７が形成された内側金属板３を加熱後、複数のエンボス６が凹となる面に樹脂材４を塗る。その後、樹脂材４が塗られた面に、加熱された外側金属板５を圧着し、さらに、冷却する。最後に、内側金属板３、樹脂材４および外側金属板５からなるラミネート金属板に、造形部２を形成する。
【実施例】
【００４３】
以下、本実施形態をより具体的に開示した実施例を示す。なお、本発明はこれらの実施例のみに限定されるものではない。
【００４４】
＜張り剛性および軽量化の評価＞
本実施形態に係る自動車外板パネル１の張り剛性および軽量化の評価は、解析モデルを用いて、弾性体モデルによる面剛性解析により、単位重量当たりの張り剛性比率を求めることで評価した。実施例１〜６および比較例１〜３の解析モデルは、表１に示す条件で作成した。なお、表１中、比較例１は、解析モデルにエンボスおよび穴を設けていないことを意味する。
【００４５】
図４は実施例１および２の解析モデルの正面図、図５は実施例３および５の解析モデルの正面図、図６は実施例４および６の解析モデルの正面図、図７は比較例１の解析モデルの正面図、図８は比較例２および３の解析モデルの正面図である。
【００４６】
なお、図４〜６および８中、エンボスは、自動車の車体の内部側（すなわち、紙面奥側）へ向けて凸となるように設けられており、形状が円柱である。また、穴の形状は円である。表１中、エンボスの直径とは、該エンボスの前記内部側の底面の円の直径をいう。また、エンボスの面積とは、該エンボスの前記内部側の底面の円の面積をいう。
【００４７】
また、実施例２、５、６および比較例３の解析モデルは、それぞれ、図４〜６および８中に示していないが、エンボスの内部に樹脂が充填されている。一方、実施例１、３、４および比較例２の解析モデルは、それぞれ、図４〜６および８中に示していないが、エンボスの内部が空洞である。
【００４８】
実施例１〜６および比較例１〜３の解析モデルに共通する条件は、以下の通りである。
・解析モデルサイズ：２００ｍｍ×２００ｍｍ
・解析モデルの板厚：０．９ｍｍ（金属板厚０．２ｍｍ、樹脂厚０．５ｍｍ）
・ヤング率：２０６ＧＰａ（金属板）
・荷重位置：解析モデル中央の一点（図４〜８中に示す×印の位置に、紙面手前側から荷重をかける）
・作用荷重：１Ｎ
【００４９】
実施例１〜６および比較例１〜３の解析モデルにおける、単位重量当たりの張り剛性比率を表１および図９に示す。表１および図９から明らかなように、本発明の要件をすべて満たす実施例１〜６の解析モデルでは、エンボスおよび穴を設けていない比較例１の解析モデルよりも、単位重量当たりの張り剛性が向上した。すなわち、実施例１〜６の解析モデルでは、比較例１の解析モデルよりも軽量化し、かつ、張り剛性を向上させることができたことが分かる。
【００５０】
実施例２、５および６の解析モデルは、エンボスの内部に樹脂が充填されているため、エンボスおよび穴の直径、ならびに、穴の面積に対するエンボスの前記内部側の底面の面積の比率の条件が等しい実施例の解析モデル、すなわち、それぞれ実施例１、３および４の解析モデルに比べて、単位重量当たりの張り剛性が向上した。
【００５１】
実施例３〜６の解析モデルは、穴の面積に対するエンボスの前記内部側の底面の面積の比率が１．２５を大きく超えるため、エンボスおよび穴の直径、ならびに、エンボス内への樹脂材充填の有無の条件が等しい実施例および比較例の解析モデル、すなわち、それぞれ実施例１、比較例２、実施例２および比較例３の解析モデルに比べて、単位重量当たりの張り剛性が向上した。
【００５２】
比較例２および３は、穴の面積に対するエンボスの前記内部側の底面の面積の比率が１．２５以下であり、かつ、エンボスの前記内部側の底面の形状において、最も長い径の長さが１８ｍｍを超えるため、エンボスおよび穴を設けていない比較例１よりも、単位重量当たりの張り剛性が劣った。
【００５３】
【表１】
0006589715.tif 000002
【産業上の利用可能性】
【００５４】
本発明の自動車外板パネルは、従来の自動車外板パネルよりも軽量化し、かつ、張り剛性を向上させることができる。そのため、ドアアウターパネル、フードアウターパネル、トランクリッドアウターパネル、フェンダーパネル、バックドアアウターパネル、ルーフパネル、ボディサイドパネル等に利用することができる。
【符号の説明】
【００５５】
１  自動車外板パネル
２  造形部
３  内側金属板
４  樹脂材
５  外側金属板
６  エンボス
７  穴
【図１】
0006589715.tif 000003
【図２】
0006589715.tif 000004
【図３】
0006589715.tif 000005
【図４】
0006589715.tif 000006
【図５】
0006589715.tif 000007
【図６】
0006589715.tif 000008
【図７】
0006589715.tif 000009
【図８】
0006589715.tif 000010
【図９】
0006589715.tif 000011